(57)【要約】【課題】カバー部材を外観に固定構造が表れることなく固定できるようにする。【解決手段】スピニングリールのリール本体１は、リアドラグ機構を装着可能なリール本体１である。リール本体１は、リールボディ１ａと、蓋部材１ｂと、竿装着部１ｃと、カバー部材２６と、固定部材２７と、を備えている。リールボディ１ａは、後部に突出して形成され内部にリアドラグ機構が収納されるドラグ収納部５２と、内部に形成された機構装着空間と、を有している。蓋部材１ｂは、機構装着空間を塞ぐようにリールボディ１ａに固定されている。竿装着部１ｃは、蓋部材１ｂに一体形成されている。カバー部材２６は、ドラグ収納部５２の周囲でリールボディ１ａ及び蓋部材１ｂの後部を覆う。固定部材２７は、ドラグ収納部５２の外周面に固定され、カバー部材２７を固定するリング状の部材である。【選択図】図４
2011050352.tif 000002
【特許請求の範囲】
【請求項１】
スプールを制動するリアドラグ機構を装着可能なスピニングリールのリール本体であって、
後部に突出して形成され内部に前記リアドラグ機構が収納される筒部と、内部に形成された機構装着空間と、を有するリールボディと、
前記機構装着空間を塞ぐように前記リールボディに固定された蓋部材と、
前記リールボディ及び前記蓋部材のいずれか一方に一体形成された竿装着部と、
前記筒部の周囲で前記リールボディ及び前記蓋部材の後部を覆うカバー部材と、
前記筒部の外周面に固定され、前記カバー部材を固定するリング状の固定部材と、
を備えたスピニングリールのリール本体。
【請求項２】
前記リアドラグ機構は、前記筒部に揺動自在に装着されドラグ力を調整するためのドラグ調整レバーを有し、
前記固定部材には、前記ドラグ調整レバーの揺動範囲を規制する規制突起が形成されている、請求項１に記載のスピニングリールのリール本体。
【請求項３】
前記固定部材は
前記筒部の前記外周面に嵌合するリング状の固定部と、
前記固定部の一端面から突出し、前記カバー部材に係合する複数の突起部と、
を有する、請求項１又は２に記載のスピニングリールのリール本体。
【請求項４】
前記突起部は、前記リールボディの前記筒部の基端外周側に形成された係合穴に係合する、請求項３に記載のスピニングリールのリール本体。
【発明の詳細な説明】
【技術分野】
【０００１】
本発明は、リール本体、特に、先端にスプールが装着されたスプール軸を制動するリアドラグ機構を装着可能なスピニングリールのリール本体に関する。
【背景技術】
【０００２】
スピニングリールには、先端にスプールが装着されたスプール軸を制動するリアドラグ機構を有するものが従来知られている。リアドラグ機構を有するスピニングリールでは、リール本体を構成するリールボディの後部にドラグ機構を収納するための筒部が形成されている（例えば、特許文献１参照）。
【０００３】
筒部には、リアドラグ機構が収納されると共に、リアドラグ機構のドラグ力を調整するドラグ調整部材が装着されている。筒部の基端部には、リール本体の後面をカバーするカバー部材が装着されている。従来、カバー部材は、小ネジなどのネジ部材を用いてリールボディに固定されている。
【先行技術文献】
【特許文献】
【０００４】
【特許文献１】特開２００５−３４８６３８号公報
【発明の概要】
【発明が解決しようとする課題】
【０００５】
前記従来の構成では、カバー部材がネジ部材を用いてリールボディに固定されているので、ネジ部材の頭部が外観に表れる。ネジ部材の頭部が外観に表れると、意匠が損なわれるとともに、頭部にオキアミなどの釣り餌が付着して見苦しくなることがある。
【０００６】
本発明の課題は、カバー部材を外観に固定構造が表れることなく固定できるようにすることにある。
【課題を解決するための手段】
【０００７】
発明１に係るスピニングリールのリール本体は、先端にスプールが装着されたスプール軸を制動するリアドラグ機構が装着可能なリール本体である。リール本体は、リールボディと、蓋部材と、竿装着部と、カバー部材と、固定部材と、を備えている。リールボディは、後部に突出して形成され内部にリアドラグ機構が収納される筒部と、内部に形成された機構装着空間と、を有している。蓋部材は、機構装着空間を塞ぐようにリールボディに固定されている。竿装着部は、リールボディ及び蓋部材のいずれか一方に一体形成されている。カバー部材は、筒部の周囲でリールボディ及び蓋部材の後部を覆う。固定部材は、筒部の外周面に固定され、カバー部材を固定するリング状の部材である。
【０００８】
このリール本体では、カバー部材が筒部の周囲でリールボディ及び蓋部材の後部を覆っている。このカバー部材は、筒部の外周面に固定された固定部材により固定されている。ここでは、カバー部材を筒部の外周面に固定された固定部材により固定している。このため、カバー部材をネジ部材で固定する必要がなくなり、カバー部材を外観に固定構造が表れることなく固定できるようになる。
【０００９】
発明２に係るスピニングリールのリール本体は、発明１に記載のリール本体において、リアドラグ機構は、筒部に揺動自在に装着されドラグ力を調整するためのドラグ調整レバーを有する。固定部材には、ドラグ調整レバーの揺動範囲を規制する規制突起が形成されている。この場合には、固定部材を利用してドラグ調整レバーの揺動範囲を規制できるので、カバー部材の固定と揺動範囲の規制とを一つの部材で行える。
【００１０】
発明３に係るスピニングリールのリール本体は、発明１又は２に記載のリール本体において、固定部材は筒部の外周面に嵌合するリング状の固定部と、固定部の一端面から突出し、カバー部材に係合する複数の突起部と、を有する。この場合には、突起部がカバー部材に係合しているので、カバー部材を確実に固定できる。
【００１１】
発明４に係るスピニングリールのリール本体は、発明３に記載のリール本体において、突起部は、リールボディの筒部の基端外周側に形成された係合穴に係合する。この場合には、カバー部材に係合する突起部がリールボディの係合穴に係合するので、カバー部材を位置決めして固定できる。
【発明の効果】
【００１２】
本発明によれば、カバー部材を筒部の外周面に固定された固定部材により固定している。このため、カバー部材をネジ部材で固定する必要がなくなり、カバー部材を外観に固定構造が表れることなく固定できるようになる。
【図面の簡単な説明】
【００１３】
【図１】本発明の一実施形態が採用されたスピニングリールの側面断面図。
【図２】そのリール本体及びリアドラグ機構の分解斜視図。
【図３】リアドラグ機構の断面部分図。
【図４】リール本体の後部の一部分解斜視図。
【図５】固定部材を含む斜視図。
【発明を実施するための最良の形態】
【００１４】
本発明の一実施形態によるスピニングリールは、図１に示すように、主に、ハンドル１０を回転自在に支持するリール本体１と、ロータ２と、スプール３と、リアドラグ機構４と、を備えている。
【００１５】
＜リール本体の構成＞
リール本体１は、図１及び図２に示すように、機構装着空間１ｄを内部に有するリールボディ１ａと、機構装着空間１ｄを塞ぐ蓋部材１ｂと、蓋部材１ｂから上方に延びる竿装着部１ｃと、カバー部材２６と、を有している。なお、竿装着部１ｃは、リールボディ１ａから延びていても良い。蓋部材１ｂは、リールボディ１ａにネジにより固定されている。リールボディ１ａの内の機構装着空間１ｄにはロータ２をハンドル１０の回転に連動して回転させるロータ駆動機構５と、スプール３を前後に移動させて釣り糸を均一に巻き取るためのオシレーティング機構６とが設けられている。
【００１６】
リールボディ１ａは、機構装着空間１ｄの前方に円形の装着部１ｅが形成され、後部には、リアドラグ機構４を収納するためのドラグ収納部５２（筒部の一例）が筒状に一体に形成されている。このドラグ収納部５２を貫通するようにカバー部材２６が装着されている。カバー部材２６の装着部分では、リールボディ１ａ及び蓋部材１ｂは、他の部分より凹んで形成されている。これにより、カバー部材２６と、リールボディ１ａ及び蓋部材１ｂとは、概ね面一に表面が滑らかにつながっている。
【００１７】
カバー部材２６は、図２及び図３に示すように、ドラグ収納部５２の周囲でリールボディ１ａ及び蓋部材１ｂの後部を覆う。具体的には、カバー部材２６は、リールボディ１ａ及び蓋部材１ｂの下面、後面及び側面を覆うように形成されている。カバー部材２６の、リールボディ１ａ及び蓋部材１ｂの後面を覆う部分には、ドラグ収納部５２の外周側を通過可能な貫通孔２６ａが形成されている。貫通孔２６ａの周囲には、後述する固定部材２７の突起部２７ｂが通過する複数（例えば４つ）の通過孔２６ｂが形成されている。カバー部材２６は、図２及び図５に示すように、貫通孔２６ａの周囲に後方から環状に凹んだ装着面２６ｃを有している。したがって、装着面２６ｃの外縁部２６ｄは、環状に突出している。
【００１８】
ドラグ収納部５２は、図２及び図３に示すように、後端部内周面に形成され後述するドラグつまみ５０に螺合する雌ネジ部５２ｂと、前端部外周面に形成され後述するドラグレバー５１に螺合する雄ネジ部５２ａとを有している。雄ネジ部５２ａは、雄ネジ部５２ａの後方の外周面より僅かに（例えば、０．５ｍｍから１．５ｍｍ程度（？））小径に形成されている。また、雄ネジ部５２ａの前方の外周面は、雄ネジ部５２ａの後方の外周面より僅かに（例えば、０．２ｍｍから１ｍｍ程度（？））に大径に形成されている。雄ネジ部５２ａの後方には、ドラグつまみ５０の回転規制に用いられる第１環状溝５２ｃ及びドラグつまみ５０の抜け止めに用いられる第２環状溝５２ｄが所定の間隔を隔てて形成されている。雄ネジ部５２ａの前方の外周面には、カバー部材２６をリールボディ１ａに位置決め及び固定するための固定部材２７が着脱可能に装着されている。ドラグ収納部５２の後端面には、周方向に所定の間隔を隔てて複数の係合凹部５２ｅが形成されている。係合凹部５２ｅには、つまみ発音機構８０を構成する音出し円板７０が回転不能かつ抜け止めされた状態で装着されている。
【００１９】
ドラグ収納部５２の前側外周面には、固定部材２７を周方向に位置決めするための複数（例えば４つ）の位置決め突起５２ｆが形成されている。カバー部材２６の貫通孔２６ａは、この位置決め突起５２ｆを通過可能な内径を有している。ドラグ収納部５２の内周面の雌ネジ部５２ｂより前方には、前後方向に沿って１対の係止溝５２ｇが形成されている。係止溝５２ｇは、ドラグ力を作用させるために設けられている。ドラグ収納部５２の内周部において、雄ネジ部５２ａの前端側の内周部には、中間壁部５２ｈが形成されている。また、中間壁部５２ｈの前方には、中間壁部５２ｈと間隔を隔てて前壁部５２ｉが形成されている。中間壁部５２ｈ及び前壁部５２ｉは、リアドラグ機構４を作用させるために設けられている。
【００２０】
固定部材２７は、図４及び図５に示すように、ドラグ収納部５２の第１雄ネジ部５２ａの前方の外周面に圧入等により嵌合固定されるリング状の固定部２７ａと、固定部２７ａの一端面から突出する複数の突起部２７ｂと、を有している。固定部２７ａは、一端部に大径の鍔部２７ｃを有している。
【００２１】
固定部２７ａの外周面には、ドラグレバー５１の揺動範囲を規制するための１対の第１規制突起２７ｄが径方向に突出して形成されている。また、ドラグレバー５１を中立位置に位置決めするためのレバー位置決め凹部２７ｅが１対の第１規制突起２７ｄの間に凹んで形成されている。なお、図４及び図５では、第１規制突起２７ｄは、一つしか図示されていないが、第１規制突起２７ｄは、レバー位置決め凹部２７ｅを挟んで対称な位置に形成されている。これにより、ドラグレバー５１は、レバー位置決め凹部２７ｅを挟んで例えば４５度ずつ揺動可能である。
【００２２】
固定部２７ａの内周面には、図５に示すように、ドラグ収納部５２との間で周方向の位相を合わせるための複数（例えば４つ）の位置決め凹部２７ｆが形成されている。１つの第２位置決め凹部２７ｆには、図２に示すように、ドラグレバー５１の操作時に発音させるためのレバー発音機構８１を配置するための装着孔２７ｇが径方向に沿って設けられている。レバー発音機構８１は、装着孔２７ｇに配置された音出しピン７３及びコイルバネ７４を有している。位置決め凹部２７ｆは、位置決め突起５２ｆに係合する。これにより、固定部材２７が周方向に位置決めされる。
【００２３】
突起部２７ｂは、図４及び図５に示すように、鍔部２７ｃの前面から前方に突出している。突起部２７ｂは、丸棒形状であり、カバー部材２６に係合してカバー部材２６をがた止めを行う。具体的には、突起部２７ｂは、カバー部材２６に形成された通過孔２６ｂに嵌合する。突起部２７ｂは、ドラグ収納部５２の基端外周側でリールボディ１ａに形成された係合穴１ｇに係合している。突起部２７ｂは、カバー部材の通過孔２６ｂを通過して係合穴１ｇに嵌合している。鍔部２７ｃは、カバー部材２６の装着面２６ｃと略同じ外径で円形に形成されている。鍔部２７ｃの背面（後面）は、カバー部材２６の後部の装着面２６ｃの外縁部２６ｄの後面と面一となるような厚み、つまり装着面２６ｃの深さと同じ厚みに形成されている。
【００２４】
＜その他の構成＞
ロータ２は、リール本体１の前部に回転自在に支持されている。ロータ２は、図１に示すように、ロータ円筒部３０と、第１ロータアーム３１及び第２ロータアーム３２とを有している。第１ロータアーム３１及び第２ロータアーム３２は、ロータ円筒部３０の側方に互いに対向して設けられている。ロータ円筒部３０と第１ロータアーム３１及び第２ロータアーム３２とは、たとえばアルミニウム合金製であり、ロータ円筒部３０に一体に成形されている。第１ロータアーム３１及び第２ロータアーム３２は、ロータ円筒部３０の周面上に周方向に広がりをもたせて接続させている。そして、ロータ円筒部３０から外方に突出して湾曲しながら前方に延びている。第１ロータアーム３１は、先端に第１ベール支持部材４０が揺動自在に装着されている。第１ベール支持部材４０の先端には、釣り糸をスプール３に案内するためのラインローラ４１が装着されている。第２ロータアーム３２は、先端に第２ベール支持部材４２が揺動自在に装着されている。ラインローラ４１と第２ベール支持部材４２との間には、線材を略Ｕ状に湾曲させた形状のベール４３が固定されている。このように、第１ベール支持部材４０及び第２ベール支持部材４２、ラインローラ４１、ベール４３によって、釣り糸をスプール３に案内するベールアーム４４が構成される。ベールアーム４４は、図１に示す糸案内姿勢とそれから反転した糸開放姿勢との間で揺動自在である。
【００２５】
ロータ駆動機構５は、図１に示すように、ハンドル１０が連結されたマスターギア軸１１ａとともに回転するマスターギア１１と、マスターギア１１に噛み合うピニオンギア１２とを有している。ピニオンギア１２は、前後方向に沿って配置された筒状の部材であり、軸方向の中間部と後端部とがそれぞれ軸受１４ａ、１４ｂを介してリール本体１に回転自在に支持されている。また、ピニオンギア１２の前部はロータ２の中心部を貫通してスプール３側に延びている。ピニオンギア１２の中心部には、スプール軸１３が回転軸芯に沿って前後方向に摺動自在に貫通している。ピニオンギア１２は、ナット部材１７によりロータ２に一体回転可能に固定されている。
【００２６】
スプール３は、釣り糸を外周面に巻き取るものであり、図１に示すように、ロータ２の前部に前後移動自在に装着されている。スプール３は、スプール軸１３にワンタッチ着脱機構４８を介して一体回転可能に連結されたスプール本体７と、鍔部８と、鍔部固定部材９とで構成されている。スプール本体７は、糸巻胴部７ａとスカート部７ｂとを有している。糸巻胴部７ａは、筒状に形成されており、外周に釣り糸が巻き付けられる。スカート部７ｂは、糸巻胴部７ａの外径より大径に形成され、糸巻胴部７ａの後部に一体成形されている。鍔部８は、糸巻胴部７ａの前部に装着されており、鍔部固定部材９によってスプール本体７に固定されている。
【００２７】
スプール軸１３は、一端にワンタッチ着脱機構４８に係合するテーパ面１３ａ及び係止溝１３ｂを有し、他端にリアドラグ機構４に係合する平行な二面で構成される回り止め部１３ｃ、を有している。
【００２８】
オシレーティング機構６は、図１に示すように、スプール３に連結されたスプール軸１３を前後方向に移動させて、スプール３を同方向に移動させるための機構である。オシレーティング機構６は、スプール軸１３の下方に平行に配置された螺軸１５と、螺軸１５に沿って前後方向に移動するスライダ１６と、スプール軸１３に平行に配置された図示しないガイド軸と、螺軸１５の先端に固定された図示しない中間ギアとを有している。スライダ１６には、スプール軸１３の回り止め部１３ｃの前方部分が回転自在かつ軸方向移動不能に連結されている。
【００２９】
＜リアドラグ機構の構成＞
リアドラグ機構４は、スプール軸１３を介してスプール３を制動する機構である。リアドラグ機構４は、図２及び図３に示すように、ドラグつまみ５０と、ドラグレバー５１と、ドラグつまみ５０によりドラグ力が調整される第１摩擦部５４と、ドラグレバー５１によりドラグ力が調整される第２摩擦部５５と、を備えている。
【００３０】
ドラグつまみ５０は、リアドラグ機構４のドラグ力を例えば釣り糸又は魚種に合わせて細かく調整するためのものである。ドラグつまみ５０は、ドラグ収納部５２の後端部に回動自在かつ軸方向移動不能に装着されている。ドラグつまみ５０は、有底円筒形状のつまみ本体５０ａと、つまみ本体５０ａの先端内周面にねじ込み固定された装着部材５０ｂとを有している。つまみ本体５０ａの底部の内周面側にドラグつまみ５０の回動操作により発音するつまみ発音機構８０の打撃ピン７１が音出し円板７０に向けて付勢されて設けられている。また、つまみ本体５０ａの底部に雌ネジ部５２ｂに螺合する第１押圧部材５３が装着されている。装着部材５０ｂは、ドラグつまみ５０をドラグ収納部５２の外周面に回転自在かつ軸方向移動不能に装着するために設けられた鍔付き筒状の部材である。
【００３１】
第１押圧部材５３は、第１摩擦部５４を押圧するネジ部材である。第１押圧部材５３の外周面には、雌ネジ部５２ｂに螺合する雄ネジ部５３ａが形成されている。第１押圧部材５３の後端面には、つまみ本体５０ａに一体回転可能かつ軸方向移動自在に連結される連結突起５３ｂが形成されている。これにより、雌ネジ部５２ｂに螺合する第１押圧部材５３は、ドラグつまみ５０の回動に連動して前後に移動する。ドラグつまみ５０と第１摩擦部５４の間には、ドラグ力を滑らかに調整するためのコイルバネ５７が装着されている。コイルバネ５７は、第１押圧部材５３の軸方向位置によりバネ力が変化する。このバネ力により第１摩擦部５４のドラグ力が変化する。
【００３２】
ドラグレバー５１は、第２摩擦部５５を押圧してドラグつまみ５０で調整された例えば釣り糸又は魚種に応じたドラグ力を可変に調整するためのものである。釣りを行っているときは、主にドラグレバー５１によりドラグ力を調整する。ドラグレバー５１は、ドラグつまみ５０の前方にドラグつまみ５０に近接して配置されている。ドラグレバー５１は、レバー本体５１ａと、レバー本体５１ａの外側を覆う外側部材５１ｂと、レバー本体５１ａの先端に装着された先端部材５１ｃと、を有している。レバー本体５１ａは、ドラグ収納部５２の外周側に配置される筒状部分５１ｄと、筒状部分５１ｄから径方向外方に延びるレバー部分５１ｅと、を有している。レバー部分５１ｅと先端部材５１ｃとの間には、ドラグレバー５１を中立位置であるのストライクポジションに位置決めするための位置決め部材６５が設けられている。位置決め部材６５は径方向に沿って配置され、径方向内方に付勢されている。位置決め部材６５がレバー位置決め凹部２７ｅに向けて進出してドラグレバー５１がストライクポジションに位置決めされる。通常のドラグ調整操作では、ドラグレバー５１をストライクポジションに配置した状態でドラグつまみ５０によりドラグ力を調整する。
【００３３】
筒状部分５１ｄの内周面には、雄ネジ部５２ａに螺合する筒状の第２押圧部材５６が装着されている。筒状部分５１ｄの内周面の前部のレバー部分５１ｅと対向する位置には、第１規制突起２７ｄに接触して揺動範囲が規制される第２規制突起５１ｆが内方に突出して形成されている。また、筒状部分５１ｄの内周面の前部において、第２規制突起５１ｆから１００度程度の範囲には、レバー発音機構８１を構成する多数の音出し溝５１ｇが形成されている。音出し溝５１ｇには、音出しピン７３が振動しながら接触する。筒状部分５１ｄの内周面の第２規制突起５１ｆの奥側には、第２押圧部材５６を一体回転可能に連結するための複数の第１連結突起５１ｈが周方向に間隔を隔てて形成されている。
【００３４】
第２押圧部材５６は、第２摩擦部５５を押圧して第２摩擦部５５のドラグ力を調整するものである。第２押圧部材５６は、直径に沿って２分割されている。これは、ドラグ収納部５２の小径化を図るために、雄ネジ部５２ａの直径をその両側部分より小径にしたためである。第２押圧部材５６を２分割することにより、このような小径化された雄ネジ部５２ａに第２押圧部材５６を螺合させることができる。
【００３５】
第２押圧部材５６は、筒状部分５１ｄの第２規制突起５１ｆより内周側かつ奥側に連結されている。第２押圧部材５６の外周面には、第１連結突起５１ｈに係合する第２連結突起５６ａが形成されている。第２押圧部材５６の内周面には、雄ネジ部５２ａに螺合する雌ネジ部５６ｂが形成されている。第２押圧部材５６の外周面と内周面との間の前面には、第２摩擦部５５を押圧する押圧面５６ｃが形成されている。第２押圧部材５６の分割された２つの部材の分割面には、図４に示すように、位置決めのための凸部５６ｄ及び凹部５６ｅが設けられている。
【００３６】
第１摩擦部５４は、ドラグ収納部５２の内部に配置されている。第１摩擦部５４は、スプール軸１３の回り止め部１３ｃに一体回転可能に連結される回転部材５８と、少なくとも１枚（例えば２枚）の耳付き座金５９ａ及び耳付き座金５９ｂと、回転座金６０と、を有している。耳付き座金５９ａ及び耳付き座金５９ｂは、回転部材５８に回転自在に装着され係止溝５２ｇに回転不能にそれぞれ係止されている。耳付き座金５９ｂにコイルバネ５７の一端が接触している。回転座金６０は、耳付き座金５９ａ及び耳付き座金５９ｂの間に配置され、回転部材５８に一体回転可能に装着されている。
【００３７】
回転部材５８は、スプール軸１３の回り止め部１３ｃの外周側に配置されている。回転部材５８は、ドラグ収納部５２の内周部に中間壁部５２ｈを貫通して配置されている。回転部材５８は、後部外周面と前部外周面とに、互いに平行な面で構成された第１回り止め部５８ａ及び第２回り止め部５８ｂを有している。第２回り止め部５８ｂに回転座金６０が係合して回転部材５８と一体回転する。第１回り止め部５８ａと第２回り止め部５８ｂとの間には、４箇所で径方向に突出する係止突起５８ｃが設けられている。係止突起５８ｃには、回転部材５８と一体回転可能なドラグ座金６１が係止されている。ドラグ座金６１がドラグディスク６２を介してドラグ収納部５２の内周面に形成された中間壁部５２ｈに接触している。ドラグディスク６２は、ドラグ座金６１と耳付き座金５９ａとの間、耳付き座金５９ａと回転座金６０との間、及び回転座金６０と耳付き座金５９ｂとの間にも設けられている。
【００３８】
第２摩擦部５５は、ドラグ収納部５２の内部において、第１摩擦部５４と中間壁部５２ｈを挟んで配置されている。第２摩擦部５５は、ドラグ収納部５２に回転不能に係止されるレバードラグ座金６３と、音出し座金６４と、を有している。レバードラグ座金６３は、径方向に突出する複数（例えば３つ）の係止片６３ａ（図２）を有している。レバードラグ座金６３は、回転部材５８に回転自在に装着され、ドラグ収納部５２に回転不能に係止されている。音出し座金６４は、ドラグ作動時に発音するドラグ発音機構８２も構成している。音出し座金６４は、回転部材５８の第１回り止め部５８ａに係合し、回転部材５８と一体回転する。音出し座金６４は、ドラグディスク６２を介して前壁部５２ｉに接触している。ドラグディスク６２は、レバードラグ座金６３と音出し座金６４との間にも配置されている。音出し座金６４は、ドラグ発音機構８２を構成する音出しバネ６６に接触している。音出しバネ６６は、リールボディ１ａの機構装着空間１ｄ内に固定されている。ドラグ作動時には、音出し座金６４が回転し、音出しバネ６６を振動させて発音させる。
【００３９】
＜スピニングリールの動作＞
以上に示したスピニングリールを使用する場合、糸を繰り出すときには、ベール４３を糸開放側に倒す。そして、釣り竿をキャスティングすると、スプール３から釣り糸が繰り出される。糸を巻き取るときには、ベール４３を糸巻取側に戻す。この状態でハンドル１０を糸巻取方向に回転させると、この回転力がマスターギア軸１１ａ及びマスターギア１１を介してピニオンギア１２に伝達される。そして、ピニオンギア１２に伝達された回転力が、ピニオンギア１２の前部においてロータ２を回転させる。一方で、ピニオンギア１２に伝達された回転力は、ピニオンギア１２に噛み合う図示しない中間ギアを介して螺軸１５も同時に回転させる。このとき、螺軸１５の螺旋溝に噛み合うスライダ１６が図示しないガイド軸に案内され前後方向に移動する。スライダ１６が移動すると、スライダ１６とともにスプール軸１３とスプール３とが前後方向に往復移動する。こうしたロータ２の回転とスプール３の前後移動とによって、ベール４３及びラインローラ４１から案内された釣り糸が、スプール３の外周に前後方向に均一に巻き取られる。このように動作するスピニングリールを使用するとき、魚がかかって魚が所定のドラグ力を越える力で釣り糸を引き込むと、スプール軸１３とスプール３とが相対回転してリアドラグ機構４が作動する。
【００４０】
このように作動するリアドラグ機構４では、ドラグつまみ５０の操作により、釣り糸又は魚種に応じたストライクポジションのドラグ力を設定する。ドラグつまみ５０を締め付けると、第１押圧部材５３が回転しながら前方へと移動し、第１押圧部材５３に連結されたコイルバネ５７が圧縮し、コイルバネ５７のバネ力が強くなる。すると、第１摩擦部５４の摩擦力が増大し、回転部材５８に一体回転可能に装着された回転座金６０及びドラグ座金６１に働く摩擦力も増大する。この結果、回転部材５８に対して一体回転可能なスプール軸１３は回転しにくくなり、スプール３に作用するドラグ力は強くなる。一方、ドラグつまみ５０を弛めると、第１押圧部材５３は回転しながら後方へと移動し、コイルバネ５７のバネ力が弱くなる。すると、ドラグ座金６１に対して回転不能なスプール軸１３は回転しやすくなり、スプール３に作用するドラグ力は弱くなる。
【００４１】
ドラグレバー５１をつまんでネジの締め付け方向にドラグレバー５１を回動させると、第２押圧部材５６が前進して第２摩擦部５５を押圧する。すると、第２摩擦部５５に働く摩擦力が増大する。このとき、回転部材５８の外周に一体回転可能に装着された音出し座金６４に働く摩擦力も増大する。このようにして、回転部材５８に対して回転不能なスプール軸１３も回転しにくくなり、スプール３に対するドラグ力は強くなる。一方、ドラグレバー５１を緩み方向に回動させると、第２押圧部材５６による押圧力が徐々に弱くなり、第２摩擦部５５の押圧状態が徐々に解除される。すると、回転部材５８に対して一体回転可能なスプール軸１３は回転しやすくなり、スプール３のドラグ力は弱くなる。
【００４２】
＜カバー部材の組立手順＞
カバー部材２６をリールボディ１ａ及び蓋部材１ｂの後方から装着する場合は以下のような作業を行う。まず、機構装着空間１ｄ内に配置されるすべての部品を組み付ける。続いて、蓋部材１ｂをリールボディ１ａに固定する。この状態では、ロータ２及びスプール３は組み付けなくても良い。
【００４３】
蓋部材１ｂを固定すると、ドラグ収納部５２の後方から貫通孔２６ａを通してカバー部材２６を前方に移動させ、カバー部材２６をリール本体１の後部に接触させる。続いて固定部材２７を、周方向の位相を合わせてドラグ収納部５２の後方からカバー部材２６に向けて移動させる。そして、固定部２７ａが雄ネジ部５２ａを超えると、圧入によりドラグ収納部５２の外周面に固定部材２７を固定する。これにより、固定部材２７の突起部２７ｂがリールボディ１ａの係合穴１ｇに嵌合し、カバー部材２６ががた止めされてリール本体１に固定される。
【００４４】
固定部材２７を装着すると、第２押圧部材５６を雄ネジ部の外周側に装着する。そして、位置決め部材６５及びレバー発音機構８１を組み込んだドラグレバー５１を、位相を合わせて第２押圧部材５６に抜け止めして固定する。ドラグレバー５１を装着すると、ドラグつまみ５０の装着部材５０ｂをドラグレバー５１の後方に装着し、抜け止めする。この状態で、つまみ本体５０ａを第１押圧部材５３が係合する回転位相で装着部材５０ｂにねじ込む。このとき、つまみ発音機構８０を予め組み込んでおく。これにより、カバー部材２６の固定及びリアドラグ機構４の組立が完了する。
【００４５】
ここでは、カバー部材２６をドラグ収納部５２の外周面に固定された固定部材２７によりリールボディ１ａ及び蓋部材１ｂに固定している。このため、カバー部材２６をネジ部材で固定する必要がなくなり、カバー部材２６を外観に固定構造が表れることなく固定できるようになる。
【００４６】
＜特徴＞
（Ａ）スピニングリールのリール本体１は、先端にスプール３が装着されたスプール軸１３を制動するリアドラグ機構４を装着可能なリール本体１である。リール本体１は、リールボディ１ａと、蓋部材１ｂと、竿装着部１ｃと、カバー部材２６と、固定部材２７と、を備えている。リールボディ１ａは、後部に突出して形成され内部にリアドラグ機構４が収納されるドラグ収納部５２と、内部に形成された機構装着空間１ｄと、を有している。蓋部材１ｂは、機構装着空間１ｄを塞ぐようにリールボディ１ａに固定されている。竿装着部１ｃは、蓋部材１ｂに一体形成されている。カバー部材２６は、ドラグ収納部５２の周囲でリールボディ１ａ及び蓋部材１ｂの後部を覆う。固定部材２７は、ドラグ収納部５２の外周面に固定され、カバー部材２６を固定するリング状の部材である。
【００４７】
このリール本体１では、カバー部材２６がドラグ収納部５２の周囲でリールボディ１ａ及び蓋部材１ｂの後部を覆っている。このカバー部材２６は、ドラグ収納部５２の外周面に固定された固定部材２７により固定されている。ここでは、カバー部材２６をドラグ収納部５２の外周面に固定された固定部材２７により固定している。このため、カバー部材２６をネジ部材で固定する必要がなくなり、カバー部材２６を外観に固定構造が表れることなく固定できるようになる。
【００４８】
（Ｂ）リール本体１において、リアドラグ機構４は、ドラグ収納部５２に揺動自在に装着されドラグ力を調整するためのドラグレバー５１を有する。固定部材２７には、ドラグレバー５１の揺動範囲を規制する第１規制突起２７ｄが形成されている。この場合には、固定部材２７を利用してドラグレバー５１の揺動範囲を規制できるので、カバー部材２６の固定と揺動範囲の規制とを一つの部材で行える。
【００４９】
（Ｃ）リール本体１において、固定部材２７はドラグ収納部５２の外周面に嵌合するリング状の固定部２７ａと、固定部２７ａの一端面から突出し、カバー部材２６に係合する複数の突起部２７ｂと、を有する。この場合には、突起部２７ｂがカバー部材２６に係合しているので、カバー部材２６を確実に固定できる。
【００５０】
（Ｄ）リール本体１において、突起部２７ｂは、リールボディ１ａのドラグ収納部５２の基端外周側に形成された係合穴１ｇに係合する。この場合には、カバー部材２６に係合する突起部２７ｂがリールボディ１ａの係合穴１ｇに係合するので、カバー部材２６を位置決めして固定できる。
【００５１】
＜他の実施形態＞
以上、本発明の一実施形態について説明したが、本発明は上記実施形態に限定されるものではなく、発明の要旨を逸脱しない範囲で種々の変更が可能である。
【００５２】
（ａ）  前記実施形態では、ドラグレバー５１とドラグつまみ５０とを有するリアドラグ機構４を備えたスピニングリールのリール本体１を開示したが、本発明はこれに限定されない。例えば、ドラグつまみだけを備えたスピニングリールのリール本体、フロントドラグ機構とリアドラグ機構とを切換可能なスピニングリールのリール本体であっても良い。
【００５３】
（ｂ）  前記実施形態では、前記実施形態では、丸棒状の突起部２７ｂにより固定部材２７を位置決めしたが、突起部の形状は前記実施形態に限定されない。
【００５４】
（ｃ）  前記実施形態では、固定部材２７の突起部２７ｂをリールボディ１ａに嵌合しているが、リールボディ１ａに加えて蓋部材１ｂにも嵌合させても良い。この場合には、蓋部材を固定部材によりリールボディ１ａに固定することができる。
【符号の説明】
【００５５】
１    リール本体
１ａ  リールボディ
１ｂ  蓋部材
１ｃ  竿装着部
１ｄ  機構装着空間
１ｇ  係合穴
３    スプール
４    リアドラグ機構
１３    スプール軸
２６    カバー部材
２６ａ  貫通孔
２６ｂ  通過孔
２７    固定部材
２７ａ  固定部
２７ｂ  突起部
２７ｄ  第１規制突起
５０    ドラグつまみ
５１    ドラグレバー
５１ｆ  第２規制突起
【図１】
2011050352.tif 000003
【図２】
2011050352.tif 000004
【図３】
2011050352.tif 000005
【図４】
2011050352.tif 000006
【図５】
2011050352.tif 000007